(57)【特許請求の範囲】
【請求項１】
装置本体に挿抜可能に設けられ、第１向きへ給送されるシートを保持可能な保持面を有し、上記第１向きの先端部に上記保持面から起立する傾斜板が設けられた第１トレイと、
上記第１トレイの上方に設けられた支軸を中心に回動可能に支持され、上記支軸から上記第１向き斜め下方へ延びるアームと、
上記アームの先端に回転可能に支持され、上記第１トレイに保持されたシートに接した状態で回転駆動されることでシートを上記第１向きへ給送する給送ローラと、
少なくとも上記給送ローラの下端が上記傾斜板の上端よりも上方に持ち上げられたときに上記アームを下方へ付勢する付勢部材と、
上記アームから上記支軸の軸方向に沿って延びるカムフォロアと、
上記カムフォロアに当接可能なように上記第１トレイに設けられ、上記第１トレイの脱抜動作に伴って上記カムフォロアが案内されることにより、上記給送ローラが上記傾斜板から退避するように上記アームを持ち上げるカム部と、
上記カムフォロアに設けられ、上記カム部に当接する当接部に回転可能に支持された回転体と、を具備するシート給送装置。
【請求項２】
上記第１トレイの上部に設けられ、シートを保持可能な保持面を有し、上記傾斜板よりも上記第１向きの上流側へ離間した第１姿勢と上記第１姿勢よりも上記傾斜板に近接した第２姿勢との間で移動可能な第２トレイを更に備え、
上記付勢部材は、上記第１姿勢から上記第２姿勢に移動する上記第２トレイによって上記アームが押し上げられることにより上記給送ローラが上記第２トレイ上に持ち上げられたときに上記給送ローラを下方へ付勢する請求項１に記載のシート給送装置。
【請求項３】
上記カム部は、上記第１向きに沿って延びるように上記第１トレイに設けられた側板の上端面に形成されている請求項１又は２に記載のシート給送装置。
【発明の詳細な説明】
【技術分野】
【０００１】
本発明は、装置本体に挿抜可能に設けられたトレイを有し、アームの先端に軸支された給送ローラによってトレイ上のシートを給送するシート給送装置に関する。
【背景技術】
【０００２】
従来から、インクジェット記録装置などの画像記録装置では、シートが保持されたトレイが挿抜可能に設けられた構成が知られている。この画像記録装置には、トレイに保持されたシートを一枚ずつ給送するように構成されている。シートを給送する給送機構としては、例えば、特許文献１に記載のように、トレイの上側に設けられた軸に揺動可能に取り付けられたアームと、そのアームの先端に回転可能に支持された給送ローラとを備えた構成が公知である。アームは、その自重またはバネなどによってトレイ側へ付勢されており、これにより給送ローラがトレイ上のシートに当接する。そして、シートに当接した状態で給送ローラが回転されると、シートが給送される。特許文献１の給送機構では、アームとシートとのなす角度が所定角度よりも小さくなった場合に、シートに対する給送ローラの搬送力を増加させるために、給送ローラを下方へ付勢する力をアップさせている。
【０００３】
給送ローラによって給送されたシートは、トレイの保持面から起立する傾斜板に案内されるようにして給送方向が変えられる。トレイには傾斜板が設けられているため、トレイを画像記録装置に対して挿抜するときに、給送ローラが傾斜板に衝突して破損するおそれがある。このため、特許文献２の給紙装置では、トレイの挿抜時にアームを昇降動させて傾斜板への衝突を回避するためのカム機構が設けられている。
【先行技術文献】
【特許文献】
【０００４】
【特許文献１】特開２００７−１６８９９６号公報
【特許文献２】特開２００９−１５５０８１号公報
【発明の概要】
【発明が解決しようとする課題】
【０００５】
しかしながら、特許文献１に記載の付勢力アップ機構と特許文献２に記載のカム機構とが給送装置に設けられた場合は、アームが持ち上げられたときに下方へのバネ力が増加するため、カム部とカムフォロアとの当接部の圧接力も増加する。カム部とカムフォロアとの間には摩擦抵抗を軽減させる摺動部材が設けられているが、上記圧接力が増加した状態でトレイの挿抜が繰り返されると、摺動部材が摺動摩擦によって劣化して摩擦軽減力が低下する。この場合、カム部とカムフォロアとの摺動摩擦力によって、トレイが引き出され難くなり、場合によってはカム部とカムフォロアとが摺動しなくなり、トレイが引き出されなくなる。
【０００６】
本発明は、上記問題に鑑みてなされたものであり、その目的は、カム部とカムフォロアとの接触圧の大きさに関わらず、カム部とカムフォロアと動きを円滑にすることにより、第１トレイのスムーズな引き出し動作を実現することが可能なシート給送装置を提供することにある。
【課題を解決するための手段】
【０００７】
(1)  本発明は、第１トレイと、アームと、給送ローラと、付勢部材と、カムフォロアと、カム部と、回転体とを具備するシート給送装置として構成されている。第１トレイは、装置本体に挿抜可能に設けられている。第１トレイは、第１向きへ給送されるシートを保持可能な保持面を有する。第１トレイは、上記第１向きの先端部に上記保持面から起立する傾斜板が設けられている。アームは、上記第１トレイの上方に設けられた支軸を中心に回動可能に支持されている。アームは、上記支軸から上記第１向き斜め下方へ延びている。給送ローラは、上記アームの先端に回転可能に支持されている。給送ローラは、上記第１トレイに保持されたシートに接した状態で回転駆動されることでシートを上記第１向きへ給送する。付勢部材は、少なくとも上記給送ローラの下端が上記傾斜板の上端よりも上方に持ち上げられたときに上記アームを下方へ付勢する。カムフォロアは、上記アームから上記支軸の軸方向に沿って延びている。カム部は、上記カムフォロアに当接可能なように上記第１トレイに設けられている。カム部は、上記第１トレイの脱抜動作に伴って上記カムフォロアが案内されることにより、上記給送ローラが上記傾斜板から退避するように上記アームを持ち上げる。回転体は、上記カムフォロアに設けられており、上記カム部に当接する当接部に回転可能に支持されている。
【０００８】
このように構成されているため、第１トレイが引き出される過程においてカム部とカムフォロアとによってアームが持ち上げられても、カム部とカムフォロアとの摩擦抵抗は回転体によって極めて小さく抑えられる。また、給送ローラが傾斜板よりも上方へ到達するようにアームが持ち上げられたことによりアームを下方へ付勢する力が付勢部材によって加えられても、カム部とカムフォロアとの間には回転体による転がり摩擦しか生じない。このため、第１トレイの引き出し動作が円滑に行われる。
【０００９】
(2)  本発明のシート給送装置は、第２トレイを更に備える。第２トレイは、上記第１トレイの上部に設けられており、シートを保持可能な保持面を有する。第２トレイは、上記傾斜板よりも上記第１向きの上流側へ離間した第１姿勢と上記第１姿勢よりも上記傾斜板に近接した第２姿勢との間で移動可能に構成されている。この場合、上記付勢部材は、上記第１姿勢から上記第２姿勢に移動する上記第２トレイによって上記アームが押し上げられることにより上記給送ローラが上記第２トレイ上に持ち上げられたときに上記給送ローラを下方へ付勢する。
【００１０】
第１トレイの上部に第２トレイが設けられた構成では、給送ローラが第２トレイ上に配置されたときのアームの傾斜角が小さくなり、その結果、給送ローラは第２トレイに保持されたシートに対して十分な搬送力を付与することができない。このような構成には、上記付勢部材が有効であり、また、本発明のごとくカムフォロアとカム部との当接部に回転体を設けることが更に有効である。
【００１１】
(3)  上記カム部は、上記第１向きに沿って延びるように上記第１トレイに設けられた側板の上端面に形成されていることが好ましい。
【発明の効果】
【００１２】
本発明によれば、カム部とカムフォロアとの摺動抵抗に関わらず、カム部とカムフォロアとが円滑に摺動する。このため、第１トレイのスムーズな引き出し動作を実現することが可能となる。
【図面の簡単な説明】
【００１３】
【図１】図１は、本発明の実施形態の一例である給紙装置１６を備えた複合機１０の斜視図である。
【図２】図２は、プリンタ部１１の内部構造を模式的に示す縦断面図である。
【図３】図３は、給紙装置１６の構成を示す斜視図である。
【図４】図４は、給紙装置１６の構成を示す平面図である。
【図５】図５は、給紙装置１６の構成を示す側面図である。
【図６】図６は、図５において二点鎖線の囲み線で囲まれた要部IVの部分拡大図である。
【図７】図７は、給送部１５の構成を示す拡大斜視図である。
【図８】図８は、図４における切断面VIII−VIIIの断面構造を示す断面図である。
【発明を実施するための形態】
【００１４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。
【００１５】
［プリンタ部１１］
図１に示されるように、複合機１０は、薄型の直方体に概ね形成されており、下部にインクジェット記録方式のプリンタ部１１が設けられている。複合機１０は、ファクシミリ機能及びプリント機能などの各種の機能を有している。なお、プリント機能以外の機能の有無は任意である。従って、本実施形態では、プリント機能以外の機能及びその機能を実現する構成要素についての説明を省略する。
【００１６】
［プリンタ部１１］
図１に示されるように、プリンタ部１１は、正面に開口１３が形成されたケーシング（筐体）１４を有している。プリンタ部１１の底部に給紙カセット２０（図２参照）が設けられている。給紙カセット２０は、各種サイズのシート状の記録用紙（本発明のシートの一例）を収容可能とするものであり、下段にメイントレイ２０Ａ（本発明の第１トレイの一例）が配置され、上段にセカンドトレイ２０Ｂ（本発明の第２トレイの一例）が配置されている。つまり、メイントレイ２０Ａ及びセカンドトレイ２０Ｂは、上下２段に設けられている。開口１３からケーシング１４の奥部に至る空間の両側壁又は底板１２には、給紙カセット２０を前後方向８へスライド可能に支持するレール支持機構などの周知のスライド機構（不図示）が設けられている。給紙カセット２０は、上記スライド機構によって、開口１３から前後方向８に挿抜可能に構成されている。つまり、給紙カセット２０は、プリンタ部１１に装着された状態から前方へ引き出されることによって脱抜される。
【００１７】
図２に示されるように、プリンタ部１１は、大別すると、記録用紙を給送する給紙装置１６（本発明のシート給送装置の一例）と、給送された記録用紙に対してインクによる画像記録を行うインクジェット記録方式の記録部２４と、記録用紙が搬送される搬送路６５などを備えている。給紙装置１６は、プリンタ部１１の下部に設けられており、記録用紙が積載状に載置された給紙カセット２０と、給紙カセット２０から記録用紙をピックアップして給送する給送部１５と、を備えている。記録部２４は、給紙装置１６の上方に配置されている。なお、記録部２４はインクジェット方式に限られず、電子写真方式などの種々の記録方式のものが適用可能である。
【００１８】
［搬送路６５］
図２に示されるように、プリンタ部１１の内部には、給紙装置１６の先端（後方側の端部）から記録部２４を経て排紙保持部７９に至る搬送路６５が形成されている。搬送路６５は、給紙装置１６の先端から記録部２４に至る間に形成された湾曲路６５Ａと、記録部２４から排紙保持部７９に至る間に形成された排紙路６５Ｂとに区分される。なお、排紙保持部７９は、プリンタ部１１のフレームなどに固定されている。
【００１９】
湾曲路６５Ａは、給送装置１６の先端付近から記録部２４に渡って延設された湾曲状の通路である。湾曲路６５Ａは、プリンタ部１１の内部側を中心とする円弧形状に概ね形成されている。給紙装置１６の給送部１５によって給紙カセット２０から第１搬送向き（図２において一点鎖線に付された矢印の向き、本発明の第１向きに相当）へ給送された記録用紙は、湾曲路６５Ａに沿って湾曲されながら搬送方向（図２において一点鎖線で示される方向）へ搬送されて、記録部２４の直下へ案内される。湾曲路６５Ａは、所定間隔を隔てて互いに対向する外側ガイド部材１８と内側ガイド部材１９とによって区画されている。なお、外側ガイド部材１８及び内側ガイド部材１９は、いずれも、図２において紙面に垂直な方向（図１の左右方向９）へ延出されている。
【００２０】
排紙路６５Ｂは、記録部２４の直下から排紙保持部７９に渡って延設された直線状の通路である。記録用紙は、排紙路６５Ｂを第１搬送向きに案内される。排紙路６５Ｂは、記録部２４が設けられている箇所においては、所定間隔を隔てて互いに対向する記録部２４及びプラテン４２によって形成されており、記録部２４が設けられていない箇所においては、所定間隔を隔てて互いに対向する上側ガイド部材８２及び下側ガイド部材８３によって形成されている。
【００２１】
図２に示されるように、記録部２４の第１搬送向きの上流側には駆動ローラ６０とピンチローラ６１とからなる一対の搬送ローラ対５９が設けられている。また、記録部２４の第１搬送向きの下流側には、駆動ローラ６３とピンチローラ６４とからなる一対の排紙ローラ対６２が設けられている。給送部１５によって給紙カセット２０から給送された記録用紙は、搬送用モータ（不図示）の駆動力を受けて回転する搬送ローラ対５９や排紙ローラ対６２によって搬送路６５内を第１搬送向きへ搬送される。
【００２２】
［記録部２４］
図２に示されるように、記録部２４は、給紙カセット２０の上方に配置されている。記録部２４は、左右方向９（図２において紙面と垂直な方向）に往復移動可能に構成されている。記録部２４の下方には記録用紙を水平に保持するためのプラテン４２が設けられている。記録用紙が搬送路６５を搬送される際に、記録部２４は左右方向９へ往復移動される。記録部２４は、その往復移動過程において、図示しないインクカートリッジから供給されたインクをノズル３９からプラテン４２上の記録用紙に吐出する。これにより、プラテン４２上の記録用紙に画像が記録される。
【００２３】
［給紙装置１６］
給紙装置１６は、大別すると、給紙カセット２０と、給送部１５と、カム機構５０と、付勢機構７４とにより構成されている。
【００２４】
［給紙カセット２０］
図３示されるように、給紙カセット２０は、メイントレイ２０Ａと、セカンドトレイ２０Ｂ（図２参照）とを備える。なお、図３の斜視図は、給紙カセット２０がプリンタ部１１に装着された状態の給紙装置１６の構成を示すものである。図３では、説明の便宜上、セカンドトレイ２０Ｂの図示が省略されている。
【００２５】
メイントレイ２０Ａは、プリンタ部１１の底側に配置されている（図２参照）。メイントレイ２０Ａは、上面が開放された矩形箱状に形成されている。メイントレイ２０Ａは、記録用紙が保持される用紙保持面８６（本発明の保持面に相当）を有しており、この用紙保持面８６に複数枚の記録用紙が積載された状態で略水平に収容可能である。本実施形態では、メイントレイ２０は、最大でＡ４サイズ（２１０ｍｍ×２９７ｍｍ）の記録用紙が収容可能なサイズに形成されている。
【００２６】
用紙保持面８６には、周知の一対のサイドガイド８７が左右方向９へスライド可能に支持されている。サイドガイド８７で挟まれたスペースに記録用紙が収容される。サイドガイド８７がスライドされて記録用紙の左右端に当接されると、記録用紙の左右方向９の中心位置が基準位置となるように記録用紙が位置決めされる。
【００２７】
メイントレイ２０Ａの後方側の端部には、分離傾斜板２２（本発明の傾斜板の一例）が設けられている。分離傾斜板２２は、用紙保持面８６の後方側の端部から斜め後方へ起立するように設けられている。また、メイントレイ２０Ａの後方側の両側端部それぞれには側板９０が設けられている。側板９０は、用紙保持面８６に沿って前後方向８へ延びる細幅の板状部材で形成されている。
【００２８】
図２に示されるように、セカンドトレイ２０Ｂは、メイントレイ２０Ａの上部に設けられている。セカンドトレイ２０Ｂは、最大でハガキサイズ（１００×１４８ｍｍ）の記録用紙が保持される保持面を有している。本実施形態の複合機１０では、主として、葉書や、写真Ｌ判サイズの光沢紙、名刺サイズの厚紙などがセカンドトレイ２０に載置される。なお、セカンドトレイ２０Ｂは、葉書サイズ以上の記録用紙、例えばメイントレイ２０Ａと同様にＡ４サイズの記録用紙等を保持可能なものであってもよい。
【００２９】
セカンドトレイ２０Ｂは、メイントレイ２０Ａの上部において前後方向８へスライド可能に支持されている。詳細には、セカンドトレイ２０Ｂは、その後方端部４３が分離傾斜板２２の内側面に近接した後方位置（図２（Ｂ）に示される位置，本発明の第２姿勢に相当）と、分離傾斜板２２から所定距離だけ前方側へ離間した前方位置（図２（Ａ）に示される位置，本発明の第１姿勢に相当）との間でスライド移動する。
【００３０】
セカンドトレイ２０Ｂのスライド支持機構としては、例えば、メイントレイ２０Ａの上部に設けられたレール（不図示）と、セカンドトレイ２０Ｂの下面に設けられた摺動溝（不図示）とからなる摺動支持機構や、その他の周知の支持機構が採用可能である。セカンドトレイ２０Ｂは、手動で動作可能なものであってもよく、或いは、周知の伝達機構（例えばラック−ピニオン機構）を介して図示しないモータなどの電動機から動力を受けて動作可能なものであってもよい。
【００３１】
セカンドトレイ２０Ｂが上記前方位置に配置された状態では、メイントレイ２０Ａの後方側の上面が開けられる。このとき、給送部１５の給紙アーム２６及び給紙ローラ２５は、メイントレイ２０Ａの後方側の上面の開口からメイントレイ２０Ａ側へ下降して、メイントレイ２０Ａに保持された記録用紙に給紙ローラ２５が当接した状態を維持する（図２（Ａ），図８（Ａ）参照）。以下、この状態の給紙アーム２６及び給紙ローラ２５の姿勢を第１回動姿勢と称する。この第１回動姿勢にあるときに給紙ローラ２５が回転されると、メイントレイ２０Ａに保持された記録用紙が湾曲路６５Ａへ向けて給送される。言い換えると、第１回動姿勢は、給紙カセット２０がプリンタ部１１に装着された状態で、給紙ローラ２５をメイントレイ２０Ａの上面またはメイントレイ２０Ａに載置された記録用紙の上面に当接可能な位置に案内する姿勢である。
【００３２】
セカンドトレイ２０Ｂが上記前方位置から上記後方位置へスライドされると、セカンドトレイ２０Ｂの後方端部４３が給送部１５の給紙アーム２６を押圧して、給紙アーム２６を上方へ押し上げる。これにより、給紙アーム２６及び給紙ローラ２５は、セカンドトレイ２０Ｂ上に配置されて、給紙ローラ２５はセカンドトレイ２０Ｂに保持された記録用紙の上面に当接する（図２（Ｂ）参照）。以下、この状態の給紙アーム２６及び給紙ローラ２５の姿勢を第２回動姿勢と称する。この第２回動姿勢にあるときに給紙ローラ２５が回転されると、セカンドトレイ２０Ｂに保持された記録用紙が湾曲路６５Ａへ向けて給送される。言い換えると、上記第２回動姿勢は、セカンドトレイ２０Ｂが後方位置に配置されたときに、給紙ローラ２５をセカンドトレイ２０Ｂの上面またはセカンドトレイ２０Ｂに載置された記録用紙の上面に当接可能な位置に案内する姿勢である。なお、この第２回動姿勢では、給紙アーム２６と記録用紙とがなす角が小さくなるため、記録用紙に対する給紙ローラ２５の押圧力が不十分となり、記録用紙の給送不良が生じる場合がある。このため、後述するように、給紙アーム２６が第２回動姿勢となったときは、付勢機構７４によって給紙アーム２６に下方への付勢力を付与している。
【００３３】
［給送部１５］
図２に示されるように、給送部１５は、給紙カセット２０の上方であって記録部２４の下方に設けられている。給送部１５は、給紙ローラ２５（本発明の給送ローラの一例）と、給紙アーム２６（本発明のアームの一例）と、支軸２８（本発明の支軸の一例）と、駆動伝達機構２７とを備えている。図３乃至図５に示されるように、プリンタ部１１には、左右方向９に隔てられた一対のサイドフレーム７１と、給紙カセット２０の上方で一対のサイドフレーム７１間に設けられたベースフレーム７２とを備えている。支軸２８は、その長手方向が左右方向９に一致するように、ベースフレーム７２の上面側で回転可能に支持されている。
【００３４】
［給紙アーム２６］
図３に示されるように、給紙アーム２６は、支軸２８に取り付けられている。給紙アーム２６の基端部（前方側の端部）が支軸２８に回転可能に支持されている。ベースフレーム７２の左右方向９の中央部に矩形状の開口３０が形成されている。給紙アーム２６は、支軸２８から後方斜め下方へ延びて、開口３０を通ってベースフレーム７２の下側に達している。給紙アーム２６の基端部には、ねじりコイルバネ３３が設けられており、このねじりコイルバネ３３によって給紙アーム２６は下方へ付勢されている。このように給紙アーム２６の基端部が支軸２８に回転可能に支持されているため、給紙アーム２６は支軸２８を中心として図２の矢印２９の方向に回動可能である。なお、本実施形態では、給紙アーム２６は、図２（Ａ）に示される第１回動姿勢から、図２（Ｂ）に示される第２回動姿勢を経て、図２（Ｃ）に示される第３回動姿勢となる回動範囲内で回動可能である。ここで、上記第３回動姿勢は、給紙カセット２０がプリンタ部１１から脱抜されたときに、給紙ローラ２５を分離傾斜板２２の上端よりも上方へ案内する姿勢である。
【００３５】
図７に示されるように、給紙アーム２６の先端部に給紙ローラ２５が設けられている。したがって、給紙ローラ２５は支軸２８よりも後方側に配置されている。言い換えると、支軸２８は、給紙ローラ２５よりも前方側（後述する第２搬送向きとは反対側）に配置されている。給紙ローラ２５は、給紙アーム２６の左右両側それぞれに設けられている。２つの給紙ローラ２５は、左右方向９へ所定間隔を隔てた状態で給紙アーム２６の先端部で回転可能に支持されている。
【００３６】
このように給紙アーム２６が構成されているため、給紙アーム２６の回動姿勢に応じて、給紙ローラ２５はメイントレイ２０Ａに保持された記録用紙に所定の付勢力で当接することができ、また、メイントレイ２０Ａから離間してセカンドトレイ２０Ｂに保持された記録用紙に所定の付勢力で当接することができる。また、給紙ローラ２５は、セカンドトレイ２０Ｂの更に上方に持ち上げ可能である。
【００３７】
駆動伝達機構２７は給紙アーム２６に設けられている。給紙ローラ２５は、複数のギヤが噛合されてなる駆動伝達機構２７によって給紙用モータ（不図示）の駆動力が伝達されて回転する。給紙ローラ２５は、給紙カセット２０がプリンタ部１１に装着されている場合に、メイントレイ２０Ａ又はセカンドトレイ２０Ｂに保持された一番上側の記録用紙に当接された状態で回転することによって、記録用紙をその下側にある他の記録用紙から分離して湾曲路６５Ａへ向かう第１搬送向きへ給送する。
【００３８】
［カム機構５０］  
カム機構５０は、図５及び図６に示されるように、右側の側板９０の上端面に形成された高低差のあるカム部５１（本発明のカム部の一例）と、給紙アーム２６に設けられたカムフォロア５２とにより構成されている。
【００３９】
側板９０の後方寄りの所定位置には、側面視でＶ字状の切欠部５３が形成されている。切欠部５３は、前方側に位置する下り傾斜面５３Ａと、後方側に位置する上り傾斜面からなる第１ガイド面５３ＢとによってＶ字状に形成されている。側板９０の上端面には、第１ガイド面５３Ｂから後方側へ連続するように水平状の第２ガイド面５４が設けられている。カム部５１は、第１ガイド面５３Ｂと第２ガイド面５４とによって実現されている。つまり、第１ガイド面５３Ｂ及び第２ガイド面５４が、カムフォロア５２をガイドするガイド面の役割を担っている。なお、切欠部５３の下り傾斜面５３Ａには、プリンタ部１１に給紙カセット２０が装着された状態で、カムフォロア５２が少しの間隔をあけて対向する（図６参照）。
【００４０】
カムフォロア５２は、図７に示されるように、給紙アーム２６を基端として、支軸２８の軸方向に沿って右方向（側板９０側の方向）へウィング状に延びている。このカムフォロア５２の延出端５５（右側の端部）は、カム部５１の各ガイド面５３Ｂ，５４に当接可能なように、カム部５１の上方に達している。カムフォロア５２の上端部には複数のリング部３１が設けられており、このリング部３１に支軸２８が挿通される（図３参照）。これにより、カムフォロア５２は、給紙アーム２６とともに、支軸２８によって回動可能に支持される。
【００４１】
図７に示されるように、カムフォロア５２の延出端５５には、ＰＯＭ（ポリアセタール樹脂）で形成された筒状の回転体９２（本発明の回転体の一例）が取り付けられている。詳細には、延出端５５の下端には、右方向へ突出する半円柱状の支軸９３が設けられており、この支軸９３に回転体９２が回転可能に支持されている。支軸９３よりもカムフォロア５２の上端側には鉤状のストッパー９４が設けられており、このストッパー９４によって回転体９２が支軸９３から容易に外れないようになっている。本実施形態では、回転体９２の外周面がカム部５１の各ガイド面５３Ｂ，５４に当接するように、カム部５１及びカムフォロア５２が位置決めされている。
【００４２】
［付勢機構７４］
付勢機構７４は、給紙ローラ２５がセカンドトレイ２０Ｂに持ち上げられたときに、給紙アーム２６の先端側を下方へ付勢するものである。この付勢機構７４は、給紙アーム２６の先端に取り付けられたねじりコイルバネ７５（本発明の付勢部材の一例，図７参照）と、開口３０の後方側の縁部に設けられた当接片７６（図３，図８参照）とによって構成されている。当接片７６は、支軸２８を中心に給紙アーム２６が回動したときに、ねじりコイルバネ７５の後端部７５Ａが移動する経路に設けられている。給紙アーム２６が第１回動姿勢（図２（Ａ），図８（Ａ）参照）にあるときは、給紙アーム２６は上述したねじりコイルバネ３３のバネ力のみによって下方へ付勢されている。しかし、給紙アーム２６が第１回動姿勢（図２（Ａ），図８（Ａ）参照）から上方へ持ち上げられると、後端部７５Ａも上方へ移動し、その移動過程において後端部７５Ａが当接片７６の下側面に下方から上方へ向けて当接する（図８（Ｂ）参照）。このとき、バネ力を増加する方向にねじりコイルバネ７５が巻き上げられるから、ねじりコイルバネ３３のバネ力に加えて上記増加たバネ力が給紙アーム２６を下方へ付勢する力となって給紙アーム２６に作用する。これにより、記録用紙に対する給紙ローラ２５の圧接力が増加し、セカンドトレイ２０Ｂからの給送不良が防止される。
【００４３】
［給紙アーム２６の昇降動作］
以下、適宜図面を参照しながら、給紙カセット２０の挿抜動作に伴う給紙アーム２６の昇降動作について説明する。
【００４４】
給紙カセット２０がプリンタ部１１に装着された状態で、且つセカンドトレイ２０Ｂが前方位置に配置された状態では、図８（Ａ）に示されるように、給紙アーム２６は第１回動姿勢を維持する。このとき、カムフォロア５２の回転体９２は、切欠部５３の中央部から少しの隙間を隔てた位置に配置されている。回転体９２と切欠部５３との隙間は、メイントレイ２０Ａに保持された記録用紙の量に比例する。つまり、記録用紙の量が多いほど上記隙間も大きくなる。
【００４５】
給紙カセット１０がプリンタ部１１に装着された状態から、給紙カセット１０が前方へ引き出されると、まず、第１ガイド面５３Ｂが回転体９２に当接する。その後、更に給紙カセット１０が前方へ引き出されると、回転体９２が第１ガイド面５３Ｂを転がりながら第２ガイド面５４側（後方）へ向けて相対的に移動する（図８（Ｂ）参照）。そして、図８（Ｂ）に示されるように、回転体９２が第２ガイド面５４に到達する少し手前まで相対移動すると、ねじりコイルバネ７５の後端部７５Ａが当接片７６に当接する。この状態から更に給紙カセット１０が前方へ引き出されると、ねじりコイルバネ７５のバネ力が増加して、給紙アーム２６がねじりコイルバネ７５によって下方へ付勢される。更に給紙カセット１０が前方へ引き出されて、回転体９２が第２ガイド面５４に到達すると、給紙アーム２６は、図２（Ｃ）に示される第３回動姿勢となり、給紙ローラ２５が分離傾斜板２２の上端よりも上方位置に配置される。この状態で更に給紙カセット２０が引き出されると、給紙ローラ２５が分離傾斜板２２に衝突せずにプリンタ部１１から引き抜かれる。
【００４６】
［実施形態の効果］
このように給紙アーム２６が昇降するため、動作給紙カセット１０の前方への引き出し動作中にねじりコイルバネ７５による下方への付勢力が給紙アーム２６に付勢されることによって、回転体９２と第１ガイド面５３Ｂとの接触圧も増加しても、回転体９２と第１ガイド面５３Ｂとの間には、第１ガイド面５３Ｂに対する回転９２の転がり摩擦しか生じないので、給紙カセット１０の引き出し動作が円滑に行われる。また、摩擦抵抗が極めて小さいので、回転体９２や第１ガイド面５３Ｂの摩耗を起因とする給紙カセット１０の引き出し不良が生じなくなる。
【００４７】
なお、上述の実施形態では、給紙カセット２０にセカンドトレイ２０Ｂが設けられた構成について説明したが、メイントレイ２０Ａのみで構成された給紙カセット２０についても、本発明は適用可能である。この場合、メイントレイ２０Ａに所定量以上の記録用紙が積載されたことにより、給紙アーム２６と記録用紙との角度がより小さくなって給送不良が生じるおそれがある。この給送不良を防止するために、付勢機構７４は、給紙アーム２６と記録用紙との角度が所定角度未満となったときに付勢力を給紙アーム２６に付与するのが好ましい。
【符号の説明】
【００４８】
１０：複合機
１５：給送部
２０：給紙カセット
２０Ａ：メイントレイ
２０Ｂ：セカンドトレイ
２２：分離傾斜板
５０：カム機構
５１：カム部
５２：カムフォロア
７４：付勢機構
７５：ねじりコイルバネ
８６：用紙保持面
９０：側板
９２：回転体
【図１】
0005482649.tif 000002
【図２】
0005482649.tif 000003
【図３】
0005482649.tif 000004
【図４】
0005482649.tif 000005
【図５】
0005482649.tif 000006
【図６】
0005482649.tif 000007
【図７】
0005482649.tif 000008
【図８】
0005482649.tif 000009